(57)【要約】【課題】シリアル通信を行うことによってカード形状の小型化を実現しながら、リザーブ用端子を設けることによってパラレルインターフェースを実現する。【解決手段】平面形状が略長方形のカード本体２に設けられる接続構造であって、カード本体２の挿入方向に沿って並列して配置された複数の外部接続用端子５を備える。外部接続用端子５は、両端に配置された電圧供給端子（Ｖｓｓ）と、中央付近に配置され、電圧供給端子（Ｖｓｓ）と内部で接続された内部接続端子（ＩＮＴ）と、デジタル信号入力出力端子（ＤＩＯ）と、リザーブ端子（Ｒｅ）とを有する。リザーブ用端子は、信号入力用又は出力用端子として使用することによって、デジタル信号転送用の端子と合わせてパラレルインターフェースによる接続を可能とする。【選択図】  図１
2007035052.tif 000002
【特許請求の範囲】
【請求項１】
平面形状が略長方形のカード本体に設けられる接続構造であって、
上記カード本体の挿入方向に沿って並列して配置された複数の外部接続用端子を備え、
上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、
上記リザーブ用端子は、信号入力用又は出力用端子として使用することによって、上記デジタル信号転送用の端子と合わせてパラレルインターフェースによる接続を可能とすることを特徴とする接続構造。
【請求項２】
上記内部接続端子（ＩＮＴ）は、上記カード本体が装着装置に装着されたとき、上記装着装置側の端子を介してグランドに接続される端子であることを特徴とする請求項１記載の接続構造。
【請求項３】
上記接続構造は、
上記カード本体の挿入方向前端から上記カード本体上面に亘って開口する凹状部を備え、
上記外部接続用端子は、上記カード本体の挿入方向に沿って上記凹状部内に並列して配置され、
上記凹状部内には、上記複数の外部接続用端子間の少なくとも一の領域に、この外部接続用端子への外部からの接触を防止するための突起部が上記凹状部の前端側開口部から当該前端側開口部と平行な壁面に亘って形成されていることを特徴とする請求項１記載の接続構造。
【請求項４】
平面形状が略長方形のカード本体の挿入方向に沿って並列して配置された複数の外部接続用端子を備え、
上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、
上記リザーブ用端子は、信号入力用又は出力用端子として使用することによって、上記デジタル信号転送用の端子と合わせてパラレルインターフェースによる接続を可能とすることを特徴とするメモリカード。
【請求項５】
上記内部接続端子（ＩＮＴ）は、上記カード本体が装着装置に装着されたとき、上記装着装置側の端子を介してグランドに接続される端子であることを特徴とする請求項４記載のメモリカード。
【請求項６】
上記メモリカードは、
上記カード本体の挿入方向前端から上記カード本体上面に亘って開口する凹状部を備え、
上記外部接続用端子は、上記カード本体の挿入方向に沿って上記凹状部内に並列して配置され、
上記凹状部内には、上記複数の外部接続用端子間の少なくとも一の領域に、この外部接続用端子への外部からの接触を防止するための突起部が上記凹状部の前端側開口部から当該前端側開口部と平行な壁面に亘って形成されていることを特徴とする請求項４記載のメモリカード。
【請求項７】
平面形状が略長方形のカード本体に設けられた外部接続端子を介して接続されてメモリカードが装着される装着装置であって、
上記メモリカードは、
平面形状が略長方形のカード本体の挿入方向に沿って並列して配置された複数の外部接続用端子を備え、
上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、
上記リザーブ用端子は、信号入力用又は出力用端子として使用することによって、上記デジタル信号転送用の端子と合わせてパラレルインターフェースによる接続を可能とすることを特徴とするメモリカードの装着装置。
【請求項８】
上記内部接続端子（ＩＮＴ）は、上記カード本体が装着装置に装着されたとき、上記装着装置側の端子を介してグランドに接続される端子であることを特徴とする請求項７記載のメモリカードの装着装置。
【請求項９】
上記メモリカードは、
上記カード本体の挿入方向前端から上記カード本体上面に亘って開口する凹状部を備え、
上記外部接続用端子は、上記カード本体の挿入方向に沿って上記凹状部内に並列して配置され、
上記凹状部内には、上記複数の外部接続用端子間の少なくとも一の領域に、この外部接続用端子への外部からの接触を防止するための突起部が上記凹状部の前端側開口部から当該前端側開口部と平行な壁面に亘って形成されていることを特徴とする請求項７記載のメモリカードの装着装置。
【請求項１０】
平面形状が略長方形のカード本体に設けられた外部接続端子を介して接続されてメモリカードが装着される情報信号の書き込み又は読み出しシステムであって、
上記メモリカードは、
平面形状が略長方形のカード本体の挿入方向に沿って並列して配置された複数の外部接続用端子を備え、
上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、
上記リザーブ用端子は、信号入力用又は出力用端子として使用することによって、上記デジタル信号転送用の端子と合わせてパラレルインターフェースによる接続を可能とすることを特徴とする情報信号の書き込み又は読み出しシステム。
【請求項１１】
上記内部接続端子（ＩＮＴ）は、上記カード本体が装着装置に装着されたとき、上記装着装置側の端子を介してグランドに接続される端子であることを特徴とする請求項１０記載の情報信号の書き込み又は読み出しシステム。
【請求項１２】
上記接続構造は、
上記カード本体の挿入方向前端から上記カード本体上面に亘って開口する凹状部を備え、
上記外部接続用端子は、上記カード本体の挿入方向に沿って上記凹状部内に並列して配置され、
上記凹状部内には、上記複数の外部接続用端子間の少なくとも一の領域に、この外部接続用端子への外部からの接触を防止するための突起部が上記凹状部の前端側開口部から当該前端側開口部と平行な壁面に亘って形成されていることを特徴とする請求項１０記載の情報信号の書き込み又は読み出しシステム。
【発明の詳細な説明】
【技術分野】
【０００１】
本発明は、本発明は、装着装置に装着されて情報信号の書き込み又は読み出しが行われるメモリカードの接続構造、メモリカード、このメモリカードが装着される装着装置、さらに情報信号の書き込み又は読み出しシステムに関する。
【背景技術】
【０００２】
メモリチップを内蔵し、このメモリチップに情報信号を記憶するメモリカードは、外部システムとの電気的接点となる外部接続用端子を備えている。メモリカードは、外部接続用端子を介して電源の供給が行われこの外部接続用端子を介して内部のメモリチップに対し情報信号の入出力が行われる。
【０００３】
メモリカードに設けられる外部接続用端子は、内部のメモリチップに電気的に接続されているので、メモリカード使用時に容易に、手指などの異物が接触しないようにすることが必要である。すなわち、外部接続用端子に異物が直接触れるとにより静電気が発生し、この静電気が外部接続用端子からメモリチップに伝達されてメモリチップを破壊してしまうことがある。したがって、外部接続用端子は容易に異物が接触しないように静電気対策を行うことが必要とされる。
【０００４】
また、メモリカードは可搬性を有することを特徴としており、携帯の利便性を考慮して、小型化が進められている。メモリカードの小型化に伴い外部接続用端子も細くなり、狭ピッチ化されている。外部接続用端子は、このように細くなり、狭ピッチ化されると、異物が軽く触れただけで容易に変位し破損してしまうおそれがある。
【０００５】
そこで、この種のメモリカードにおいては、カード本体の内部に外部接続用端子を埋設し、カード本体にこの外部接続用端子に連通する小さな穴を設け、この穴を介して外部接続用端子を外部に臨ませるようにしたものや、カード本体のカード挿入方向前端側に凹状部を形成し、この凹状部の底部に外部接続用端子を配置して外部接続用端子の保護を図るようにしたものが提案されている。
【発明の開示】
【発明が解決しようとする課題】
【０００６】
カード本体に小さな穴を設けて外部接続用端子を外部に臨ませるようにしたメモリカードは、穴の内部に塵埃等が侵入すると容易に除去することができなくなる。穴に塵埃等が詰まったまま装着装置に装着されると、装着装置との確実な電気的な接続が阻害され、さらには装着装置の接続端子を変形させてしまうおそれがある。また、この種のメモリカードは、構造が複雑となり製造が困難となってしまう。
【０００７】
構造の複雑化を防止するため、カード本体に凹状部を形成し、この凹状部内に外部接続用端子を配置するようにしたメモリカードが提案されている。このメモリカードにあっては、凹状部の形状によっては外部接続用端子の保護が不完全となり、また凹状部の隅に塵埃等が溜まりやすく、装着装置との確実な接続が阻害されてしまうおそれがあるまた、略長方形状のカード本体の１カ所の頂点に、装着装置への誤挿入防止用の切欠部を形成したメモリカードも提案されている。このメモリカードにあっては、切欠部を設けた以外の残りの３カ所の頂点に面取りを施したり丸みをもたせるなどデザインを変化させることができなかった。
【０００８】
そこで、本発明は、平面形状が略長方形のカード本体に設けられる接続構造、あるいは平面形状が略長方形のカード本体を有するメモリカード、このメモリカードを用いる装着装置、及びシステムにおいて、シリアル通信を行うことによってメモリカードを構成するカード形状の小型化を実現しながら、リザーブ用端子を設けることによってパラレルインターフェースを実現することを技術課題とする。
【０００９】
また、本発明は、簡単な構造で外部接続用端子の保護を図り、さらに、カード本体に内蔵するメモリチップの確実な保護を図ることができメモリカードを提供することを技術課題とする。
【課題を解決するための手段】
【００１０】
上述した目的を達成するために、本発明は、  平面形状が略長方形のカード本体に設けられる接続構造であって、上記カード本体の挿入方向に沿って並列して配置された複数の外部接続用端子を備え、上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、上記リザーブ用端子は、信号入力用又は出力用端子として使用することによって、上記デジタル信号転送用の端子と合わせてパラレルインターフェースによる接続を可能とすることを特徴とする。
【００１１】
ここで、上記内部接続端子（ＩＮＴ）は、上記カード本体が装着装置に装着されたとき、上記装着装置側の端子を介してグランドに接続される端子である。
【００１２】
また、上記接続構造は、上記カード本体の挿入方向前端から上記カード本体上面に亘って開口する凹状部を備え、上記外部接続用端子は、上記カード本体の挿入方向に沿って上記凹状部内に並列して配置され、上記凹状部内には、上記複数の外部接続用端子間の少なくとも一の領域に、この外部接続用端子への外部からの接触を防止するための突起部が上記凹状部の前端側開口部から当該前端側開口部と平行な壁面に亘って形成されている。
【００１３】
さらに、本発明は、メモリカードであって、平面形状が略長方形のカード本体の挿入方向に沿って並列して配置された複数の外部接続用端子を備え、上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、上記リザーブ用端子は、信号入力用又は出力用端子として使用することによって、上記デジタル信号転送用の端子と合わせてパラレルインターフェースによる接続を可能とする。
【００１４】
さらにまた、本発明は、平面形状が略長方形のカード本体に設けられた外部接続端子を介して接続されてメモリカードが装着される装着装置であって、上記メモリカードは、平面形状が略長方形のカード本体の挿入方向に沿って並列して配置された複数の外部接続用端子を備え、上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、上記リザーブ用端子は、信号入力用又は出力用端子として使用することによって、上記デジタル信号転送用の端子と合わせてパラレルインターフェースによる接続を可能とすることを特徴とする。
【００１５】
さらにまた、本発明は、平面形状が略長方形のカード本体に設けられた外部接続端子を介して接続されてメモリカードが装着される情報信号の書き込み又は読み出しシステムであって、上記メモリカードは、平面形状が略長方形のカード本体の挿入方向に沿って並列して配置された複数の外部接続用端子を備え、上記外部接続用端子は、両端に配置された電圧供給端子（Ｖｓｓ）と、中央付近に配置され、上記電圧供給端子（Ｖｓｓ）と内部で接続された内部接続端子（ＩＮＴ）と、デジタル信号入力出力端子（ＤＩＯ）と、リザーブ端子（Ｒｅ）とを有し、上記リザーブ用端子は、信号入力用又は出力用端子として使用することによって、上記デジタル信号転送用の端子と合わせてパラレルインターフェースによる接続を可能とすることを特徴とする。
【発明の効果】
【００１６】
本発明は、平面形状が略長方形のカード本体に設けられる接続構造、あるいは平面形状が略長方形のカード本体を有するメモリカード、このメモリカードを用いる装着装置、情報信号の書き込み又は読み出しシステムにおいて、シリアル通信を行うことによってメモリカードを構成するカード形状の小型化を実現しながら、リザーブ用端子を設けることによってパラレルインターフェースを実現している。
【発明を実施するための最良の形態】
【００１７】
以下、本発明に係るメモリカード及びこのメモリカードを用いる装着装置を図面を参照して詳細に説明する。
【００１８】
本発明に係るメモリカード１は、コンピュータや音響機器等の外部システムの装着装置に装着されて情報信号の書き込み又は読み出しが行われる記憶媒体であり、図１に示すように、カード本体２の内部に、情報信号を記憶する複数個のメモリチップ３と、このメモリチップ３への情報信号の書き込み又はこのメモリチップ３からの情報信号の読み出しを制御する制御集積回路４とが内蔵されている。
【００１９】
このメモリカード１は、図２に示すように、装着装置に装着されたときに、装着装置の接続端子と電気的に接続されて、制御集積回路４に電源を供給し、また情報信号及び各種制御信号を伝達するための外部接続用端子５を備えている。ここに示すメモリカード１は、シリアルインターフェースを採用し、外部接続用端子５が９本設けられている。
【００２０】
カード本体２は、例えば合成樹脂等により平面形状を長方形となす薄肉のカード状に形成されてなる。本例のメモリカード１は、シリアルインターフェースを採用して外部接続用端子５を９本設けたことにより、カード本体２の小型化が図られており、図３に示すように、短辺方向の長さＬ1が長辺方向の長さＬ2の１／２以下とされている。
【００２１】
カード本体２の図２及び図３中矢印Ａ方向の装着装置に対する挿入方向側の後端部には、誤消去防止部材６が取り付けられている。誤消去防止部材６は、カード本体２の内部に収容された図示しない誤消去防止スイッチに係合され、カード本体２の挿入方向と直交する方向にスライド操作されることにより、誤消去防止スイッチのＯＮ／ＯＦＦの切り換えを行う。また、カード本体２の装着装置への挿入方向と平行な一方の側面には、メモリカード１が装着装置に装着された際に、メモリカード１が装着装置から脱落しないようにするための円弧状のロック用切欠部７が形成されている。このロック用切欠部７は、メモリカード１が装着装置に装着された際に、図示しない装着装置のロック用突部に係合されてメモリカード１の脱落を防止する。
【００２２】
カード本体２の挿入方向前端側の一方の側端部には、図２に示すように、挿入方向に対して斜めに切り欠かれた切欠部８が形成されている。この切欠部８は、メモリカード１を装着装置に装着する際の誤挿入を防止する誤挿入防止部として機能する。
【００２３】
さらに、カード本体２の挿入方向前端側には、図２に示すように、凹状部９が形成されている。凹状部９は、カード本体２の挿入方向前端側にて上面から所定の段差をもって形成されることにより、三方の壁面と底面とにより囲まれ、カード本体２の挿入方向前端からカード本体２の上面にわたり開口した形状とされている。この凹状部９の前端側開口部と平行な壁面９ａは、図５に示すように、凹状部９の底面９ｂから所定の仰角をもって傾斜する傾斜面とされる。
【００２４】
メモリカード１は、このように凹状部９の前端側開口部と平行な壁面９ａを傾斜面とすることにより、装着装置に装着される際に、凹状部９内の塵埃等をこの傾斜面を介して容易に外部へ排出することができる。
【００２５】
凹状部９内には、図２に示すように、カード本体２が装着装置に装着された際に装着装置の接続端子と接続される複数の外部接続用端子５が配置されている。これら外部接続用端子５は、薄い金属板が打ち抜き成形されること又はプリント基板に形成される配線パターンの一部により構成され、カード本体２の挿入方向に沿って凹状部９の底面９ｂ上に並列に載置されて外部に露出するように設けられている。
【００２６】
本例のメモリカード１は、上述したように、シリアルインターフェースを採用したことにより、外部接続用端子５の数が９本とされている。すなわち、このメモリカード１は、凹状部９内に、デジタル信号入出力端子と同期信号入力端子とステータス信号入力端子と４本の電圧供給端子と２本のリザーブ端子とからなる９本の外部接続用端子５が配置されている。
【００２７】
さらに、図１を参照して外部接続用端子５の構成を述べると、これら外部接続用端子５は、両端の電圧供給端子（Ｖｓｓ）と、ステータス端子（Ｓｔａｔｅ）と、デジタル信号入力出力端子（ＤＩＯ）と、同期信号入力端子（ＳＣＬＫ）と、内部接続端子（ＩＮＴ）と、電圧供給端子（Ｖｃｃ）と、２つのリザーブ用端子（Ｒｅ）とから構成されている。
【００２８】
そして、内部接続端子（ＩＮＴ）は、複数の並列配置された外部接続用端子５中の中央付近に配置され、電圧供給端子（Ｖｓｓ）と内部で接続されている。
【００２９】
また、内部接続端子（ＩＮＴ）は、図１に示すように、カード本体２が装着装置に装着されたとき、装着装置側の端子を介してグランドに接続される端子である。
【００３０】
そして、凹状部９内には、図２に示すように、外部接続用端子５間に位置して外部から外部接続用端子５に手指など異物が接触することを防止するための突起部１０が形成されている。この突起部１０は、図２に示すように、凹状部９内の領域を三等分するように、凹状部９の前面側開口部からこれと平行な壁面９ａに亘って形成される。突起部１０によって分割された凹状部９の３つの領域には、それぞれ外部接続用端子５が３本ずつ配置される。
【００３１】
メモリカード１は、このように凹状部９内の領域を突起部１０により分割し、外部接続用端子５の配置領域を細分化することにより、装着装置への装着時等にユーザが誤って外部接続用端子５を触ってしまうといった不都合が回避され外部接続用端子５の保護が図られる。また、突起部１０によって分割された凹状部９の３つの領域にそれぞれ配置された３本の外部接続用端子５のうち中央の外部接続用端子５は、グランドに接続されていることが望ましい。
【００３２】
メモリカード１は、このように３つの領域の中央の外部接続用端子５をグランドに接続することにより、仮にユーザの手指が分割された凹状部９内の領域に入ることがあっても、手指はグランドに接続された外部接続用端子５を触ることになり、接触時に発生する静電気の放電によりメモリチップ３が破壊されるといった事故を防止することができる。
【００３３】
また、メモリカード１は、図４に示すように、突起部１０を外部接続用端子５の数に対応して設け、突起部１０により分割される凹状部９内の領域にそれぞれ外部接続用端子５を１本ずつ配置するようにしてもよい。メモリカード１は、このように外部接続用端子５の数に対応して突起部１０を設けることにより、外部接続用端子５への手指などの異物の接触をより確実に防止することができる。
【００３４】
なお、本発明に係るメモリカード１は、外部接続用端子５の数を１０本としてもよい。外部接続用端子５の数を１０本とすることにより、リザーブ用端子の数を３本にすることができる。このようにリザーブ用端子の数を３本としたメモリカード１は、例えばこれら３本のリザーブ用端子を信号入力用又は出力用端子として使用することで、上述したデジタル信号入出力端子と合わせて４本の信号入力用又は出力用端子を用いたパラレルインターフェースによる接続を行うことが可能となる。
【００３５】
なお、以上は、外部接続用端子５への接触を防止するために、凹状部９内に突起部１０を形成した例について説明したが、本発明に係るメモリカード１は、図５（Ａ）に示すように、開閉動作して凹状部９を閉塞又は開放するシャッタ部材１１を設け、装着装置に装着されないときは、凹状部９がシャッタ部材１１により閉塞されるようにして、外部接続用端子５への接触を防止するようにしてもよい。この場合、凹状部９の前面側開口部と平行な壁面９ａからカード本体２の内部に亘ってシャッタ部材１１の移動を可能とするための溝部を形成する。
【００３６】
シャッタ部材１１は、例えば合成樹脂等により凹状部９の上面側開口部の開口面積よりやや大きい面積を有する矩形の板状に形成され、カード本体２の前端側に、メモリカード１の装着装置への挿入方向に沿って移動可能に取り付けられている。このシャッタ部材１１は、メモリカード１が装着装置に装着されないときは、バネ部材１２によりカード本体２の挿入方向前端側に付勢され、凹状部９の上面側開口部を閉塞するように凹状部９上に配設される。
【００３７】
シャッタ部材１１は、メモリカード１が装着装置に挿入される際に、前端部が後述する装着装置の摺動突部に当接する。そして、シャッタ部材１１は、図５（Ｂ）に示すように、メモリカード１が挿入されるに従って、摺動突部によりバネ部材１２の付勢力に抗して図５（Ｂ）中矢印Ｂ方向に押し込まれ、上記溝部内に移動して凹状部９の上面側開口部を開放する。
【００３８】
このメモリカード１は、装着装置に装着されないときは、凹状部９がシャッタ部材１１により閉塞されるので、外部接続用端子５への外部からの接触が防止され、外部接続用端子５の保護が図られる。
【００３９】
また、このメモリカード１においても、凹状部９の前面側開口部と平行な壁面９ａは、底面９ｂから所定の仰角をもって傾斜する傾斜面とする。さらに、シャッタ部材１１の前端部も同様の傾斜面とすることが望ましい。
【００４０】
メモリカード１は、このように、凹状部９の前面側開口部と平行な壁面９ａ、さらにはシャッタ部材１１の前端部を傾斜面とすることにより、装着装置に装着される際に、凹状部９内の塵等をこの傾斜面から容易に外部へ排出することができる。
【００４１】
このメモリカード１においても、図６（Ａ）及び図６（Ｂ）に示すように、凹状部９内に突起部１０を形成し、凹状部９内の領域を分割するようにしてもよい。メモリカード１は、このように、突起部１０により凹状部９内の領域を分割することにより、装着装置に装着されないときに誤ってシャッタ部材１１を開放してしまった場合においても、外部接続用端子５への接触が防止され、外部接続用端子５の保護をより確実に図ることができる。なお、図６（Ａ）は、凹状部９の上面側開口部がシャッタ部材１１により閉塞された状態を示し、図６（Ｂ）は、シャッタ部材１１が開動作し、凹状部９の上面側開口部が開放された状態を示している。
【００４２】
以上のように構成されるメモリカード１は、図７及び図８に示すような装着装置２０に装着されて情報信号の記録再生が行われる。
【００４３】
装着装置２０は、前面側にメモリカード１が挿入される開口部２１を有している。この装着装置２０には、開口部２１から装置内部に亘り図７中矢印Ｃで示すメモリカード１の挿入方向に沿ってメモリカード１が装着される装着用凹部２２が設けられている。この装着用凹部２２内には、図７及び図８に示すように、外部システムと電気的に接続されている複数の接続端子２３の先端側が臨まされている。
【００４４】
接続端子２３は、例えば金属板等を打ち抜き折り曲げて形成され、基端側が装着装置２０内に埋設されて支持され、装着されたメモリカード１の外部接続用端子５を押圧する方向に付勢力を有する板バネとして構成されている。この接続端子２３の装着用凹部２２内に突出する先端側には、図７に示すように、メモリカード１の外部接続用端子３と当接する当接部２３ａが折り曲げ形成されている。この接続端子２３は、メモリカード１の外部接続用端子５の数に対応して複数設けられている。本例の装着装置２０においては、９本の外部接続用端子５に対応して、９本の接続端子２３が装着用凹部２２内に配設されている。
【００４５】
装着用凹部２２内に配置される接続端子２３の前方、すなわちメモリカード１の挿入方向基端側には、図７及び図８に示すように、メモリカード１が挿入される際にメモリカード１の外部接続用端子５上を摺動する摺動突部２４が設けられている。この摺動突部２４は、接続端子２３と同様にメモリカード１の外部接続用端子５の数に対応して複数設けられ、それぞれが接続端子２３の前方に配設されている。本例の装着装置２０においては、９本の外部接続用端子５に対応して、９個の摺動突部２４がそれぞれ接続端子２３の前方に設けられている。この摺動突部２４は、図９に示すように、装着装置２０にメモリカード１が挿入されると、接続端子２３に先行してメモリカード１の外部接続用端子５上を摺動する。そして、摺動突部２４は、メモリカード１の凹状部９内の塵埃３０等を、傾斜面とされたメモリカード１の凹状部９の壁面９ａから外部に排出する。
【００４６】
この装着装置２０は、メモリカード１が挿入される際に、摺動突部２４が接続端子２３に先行してメモリカード１の外部接続用端子５上を摺動し、外部接続用端子５上の塵等を除去した後に接続端子２３が外部接続用端子３に接続されるので、接続端子２３と外部接続用端子５との電気的な接続を確実なものとすることができる。
【００４７】
また、この装着装置２０は、複数の摺動突部２４をそれぞれメモリカード１の外部接続用端子５に対応して接続端子２３の前方に設けるようにしているので、凹状部９内の領域を突起部１０により外部接続用端子５ごとに分割したメモリカード１に適応することができ、さらに、凹状部９内の領域を突起部１０により３等分したメモリカード１にも適応することができる。
【００４８】
さらに、この装着装置２０は、凹状部９の上面側開口部をシャッタ部材１１により閉塞して外部接続用端子５の保護を図るようにしたメモリカード１にも適応することができる。装着装置２０は、シャッタ部材を備えたメモリカード１が挿入される際は、図１０に示すように、摺動突部２４の前面側がシャッタ部材１１の前端部に当接し、メモリカード１の挿入にともなってシャッタ部材１１を開放動作させる。
【００４９】
また、この装着装置２０は、図１１に示すように、カード本体２の装着装置２０に対する挿入方向前端側に凹状部９を設け、突起部やシャッタ部材を設けることなく、凹状部９内に外部接続用端子５を配置しただけの構成のメモリカードにも対応できることはいうまでもない。
【００５０】
この装着装置２０は、以上のように汎用性を有するので、メモリカード１の形状による制約を受けずに広い用途に用いることができる。
【００５１】
ところで、本発明に係るメモリカードは、以下に示すように構成したものであってもよい。
【００５２】
このメモリカードの一例を示す平面図を図１２に示す。また、図１２に示されるメモリカードのＸ１−Ｘ２線断面図を図１３に示す。
【００５３】
このメモリカード１００は、平面形状が略長方形をしており、４カ所の頂点のうち、図１２及び図１３中矢印Ｄで示すカード挿入方向前端部の一方の頂点１０１ａ及び同図中矢印Ｄで示されるカード挿入方向の挿入方向後端部の両側端部の頂点１０１ｂ，１０１ｃが、同図中矢印Ｄで示される挿入方向前端部の他方の頂点１０２よりも大きく面取りされている。このメモリカード１００では、他方の大きな面取りが施されていない頂点１０２が検出されることにより、メモリカード１００を装着装置に挿入する際の誤挿入が防止される。
【００５４】
メモリカード１００では、４カ所の頂点のうち、図１２及び図１３中矢印Ｄで示すカード挿入方向前端部の他方の頂点１０２は面取りされず、残りの３カ所の頂点１０１ａ、１０１ｂ、１０１ｃは面取りされて例えば円弧状とされている。また、面取りされた３カ所の頂点のうち、図１２及び図１３中矢印Ｄで示すカード挿入方向前端部の一の頂点１０１ａは、カード挿入方向後端部の両側端部の他の頂点１０１ｂ、１０１ｃよりも大きく面取りされている。
【００５５】
メモリカード１００は、図１４及び図１５に示すような装着装置１０３に装着されて情報信号の記録再生が行われる。図１４は、本発明に係る装着装置１０３の一例を示す平面図であり、図１５は、図１４に示す装着装置１０３のＹ1−Ｙ2線断面図である。ここで、以下の説明に使用される図において、部材間の関係を明確にするために、平面図であってもハッチングを施した部分がある。
【００５６】
この装着装置１０３は、前面側にメモリカード１００が挿入される開口部１０４と、図１４及び図１５中矢印Ｅで示すメモリカード１００の挿入方向に沿って上記開口部１０４から装置内部に形成されたメモリカード１００が装着される装着用凹部１０５と、図１４及び図１５中矢印Ｅで示すメモリカード１００の挿入方向に沿って上記開口部１０４の内方側に設けられた誤挿入防止部材１０６とを備える。
【００５７】
誤挿入防止部材１０６は、開口部１０４側であってメモリカード１００の挿入方向に略垂直とされた前面部１０７と、この前面部１０７の一方の側端側に形成した突出部１０８とを有する。この突出部１０８には、前面部１０７から開口部１０４に向かうに従って厚み及び幅が次第に小となるような傾斜面１０９が形成されている。この傾斜面１０９によりメモリカード１００の頂点１０２を検出する。
【００５８】
また、誤挿入防止部材１０６は、装着装置１０３に回動可能に軸支されるとともにコイルばね１１０によって図１５中時計回り方向に回動付勢されている。さらに、誤挿入防止部材１０６は、装着装置１０３の非使用時に開口部１０４を閉塞して装着装置１０３の内部への塵埃等の侵入を防止している。
【００５９】
図１６、図１７及び図１８に、メモリカード１００が正しく装着装置１０３に挿入された場合の様子を示す。メモリカード１００を開口部１０４から、図１６中矢印Ｅ方向に挿入していくと、頂点１０２が誤挿入防止部材１０６に設けられた突出部１０８に当接する。そして、図１７に示すように、メモリカード１００の頂点１０２の上側の角が、突出部１０８の傾斜面１０９を摺動することにより誤挿入防止部材１０６を図中上方に押し上げる。そして、頂点１０２は、図１８に示すように、誤挿入防止部材１０６を逃がして、メモリカード１００を装着装置１０３の内部にまで挿入することを可能とする。
【００６０】
一方、図１９及び図２０に、メモリカード１００が誤った向きに挿入された場合の様子を示す。メモリカード１００を図中矢印Ｅ方向に挿入していくと、面取りした頂点１０１ａが誤挿入防止部材１０６の突出部１０８に当接することなくメモリカード１００の挿入方向の前端面が誤挿入防止部材１０６の前面部１０７に当接することになる。この誤挿入防止部材１０６の前面部１０７は、図中矢印Ｅで示されるメモリカード１００の挿入方向に対し略垂直に形成されているため、メモリカード１００前端面が突出部１０８に当設し誤挿入防止部材１０６を押し上げることができない。従って、メモリカード１００が誤った方向に挿入された場合、頂点１０１ａにより誤挿入防止部材１０６を逃がことができなくなり、メモリカード１００の装着装置１０３の内部にまで挿入することができない。
【００６１】
図１９及び図２０には、メモリカード１００を裏返しに挿入した場合の例を示しているが、メモリカード１００を前後逆向きに挿入した場合でも同様に、頂点１０１ｂ及び１０１ｃは、誤挿入部材１０６を逃がしてメモリカード１００を内部にまで挿入することができない。したがって、メモリカード１００を装着装置１０３の内部にまで挿入できるのは、メモリカード１００を正しく挿入した場合のみであり、メモリカード１００の誤挿入が防止される。
【００６２】
誤挿入防止の観点から、メモリカード１００の３カ所の頂点１０１ａ，１０１ｂ，１０１ｃは、誤挿入防止部材１０６の突出部１０８に当接しないように形成されいればよくその平面形状は問わない。例えば、図２１に示すように、頂点１０２ａ，１０２ｂ，１０２ｃを様々な大きさに面取りしたり、また面取りの形状も円弧状、直線状とすることができ、メモリカードにデザイン上の変化をつけることができる。
【００６３】
また、本発明に係るメモリカードは、以下のように構成したものであってもよい。
【００６４】
このメモリカードの一例を図２２に示す。また、図２２に示されるメモリカードのＺ１−Ｚ２線断面図を図２３に示す。
【００６５】
このメモリカード１２０は、図２２に示すように略長方形に形成され、図２２中矢印Ｆで示される挿入方向の前端部に切欠部１２１が形成されている。この切欠部１２１は、メモリカード１２０の挿入方向前端部の底面側がメモリカード１２０の短辺方向の全幅に亘って厚み方向に切り欠かれている。切欠部１２１は、平面によってメモリカード１２０から切り欠かれている。このメモリカード１２０は、切欠部１２１が検出されることにより装着装置に挿入する際の誤挿入が防止される。
【００６６】
以上のように構成されるメモリカード１２０は、図２４及び図２５に示すような装着装置１２２に装着されて、情報信号の記録再生が行われる。図２４は、装着装置１２２の一例を示す平面図であり、図２５は図２４に示す装着装置１２２のＷ１−Ｗ２線断面図である。この装着装置１２２は、前面側にメモリカード１２０が挿入される開口部１２３と、図中矢印Ｇで示すメモリカード１２０の挿入方向に沿って開口部１２３から装置内部に亘って形成され、メモリカード１２０が装着される装着用凹部１２４と、図中矢印Ｇで示すメモリカード１２０の挿入方向に沿って開口部１２３の内方に設けられた誤挿入防止部材１２５とを備える。
【００６７】
誤挿入防止部材１２５は、図２５に示すように、矢印Ｇ方向のメモリカード１２０の挿入方向に略垂直とされた第１の面１２６を有する防止板１２７と、この防止板１２７の上端部であって開口部１２３側に突設されメモリカード１２０挿入方向に略平行とされた第２の面１２８を有する突出部１２９とを備える。
【００６８】
また、誤挿入防止部材１２５は、装着装置１２２に軸支されるとともにコイルばね１３０によって図２５中時計回り方向に回動付勢されている。さらに、誤挿入防止部材１２５は、装着装置１２２にメモリカード１２０が装着されない非使用時に開口部１２３を閉塞して装着装置１２２内部へのゴミなどの侵入を防止している。
【００６９】
メモリカード１２０が挿入されると、誤挿入防止部材１２５は、コイルばね１３０の付勢力に抗して図２５中反時計回り方向に約９０゜回転し、第１の面１２６が図２６に示すようにメモリカード１２０挿入方向と略平行となる。
【００７０】
メモリカード１２０が正しく挿入された場合、すなわち、メモリカード１２０の前端部の底面側に切欠部１２１が形成されている場合、図２６に示すように、切欠部１２１の斜面が、突出部１２９を摺動することにより誤挿入防止部材１２５を押し下げる。そして、図２７に示すように、切欠部１２１が誤挿入防止部材１２５を逃がし、メモリカード１２０を内部にまで挿入することができる。
【００７１】
図２８に示すようにメモリカード１２０が誤った向きに挿入された場合、すなわち、メモリカード１２０の前端部の底面側に切欠部１２１が形成されていない場合、メモリカード１２０の挿入方向の前端面は、突設部の第２の面１２８に当接する。このとき第２の面１２８は、図２８中矢印Ｇで示されるメモリカード１２０の挿入方向に略垂直となっているため、メモリカード１２０の前端面は突出部１２９に当接して誤挿入防止部材１２５を押し下げることができない。したがって、メモリカード１２０が誤った方向に挿入された場合、誤挿入部材１２５を逃がしてメモリカード１２０を装着装置１２２の内部にまで挿入することができない。
【００７２】
図２８では、メモリカード１２０を裏返しに挿入した場合の例を示しているが、メモリカード１２０を前後逆向きに挿入した場合でも、同様に誤挿入防止部材１２５を逃がしてメモリカード１２０を内部にまで挿入することができない。したがって、メモリカード１２０を装着装置１２２の内部にまで挿入できるのは、メモリカード１２０を正しく挿入した場合のみであり、メモリカード１２０の誤挿入が防止される。
【００７３】
メモリカード１２０は、誤挿入の検出が厚み方向の形状で行われるため、突出部１２９を摺動して誤挿入防止部材１２５を押し下げられる大きさに切欠部１２１が形成されていればよい。したがって、誤挿入防止を図るためには、メモリカード１２０の頂点の平面形状は問わない。例えば、図２９に示すように、メモリカード１２０は、頂点を面取りしたり、また面取りの形状も円弧状、直線状など様々な形状とすることができ、デザイン上の変化をつけることができる。
【００７４】
また、本発明に係るメモリカードは、装着装置の内部に挿入することにより装着する以外にも、装着装置の上面にはめ込むことにより装着することも可能である。
【００７５】
このメモリカードの一例を図３０に示し、メモリカード１４０を図３０中Ｈ方向から見た図を図３１に示し、メモリカード１４０を図３０中Ｉ方向から見た図を図３２に示す。このメモリカード１４０は、平面形状が略長方形をなすように形成されている。また、メモリカード１４０は、長辺方向の第１の側面１４１の両側端部に、装着用の切欠部１４３ａ，１４３ｂが形成されている。図３１に示すように、第１の側面と平行な第２の側面１４２の両側端部にも、装着用の切欠部１４３ｃ，１４３ｄが形成されている。
【００７６】
メモリカード１４０は、上記切欠部１４３ａ，１４３ｂ，１４３ｃ，１４３ｄによって装着装置１４４にはめ込んで装着することもできる。
【００７７】
図３３に示すように、このような装着装置１４４の上面には、例えばメモリカード１４０が装着される装着用凹部１４５がその開口部を上方に向けて形成され、この装着用凹部１４５の側壁には突出部１４６が形成されている。メモリカード１４０を装着装置１４４に装着する際には、図３４に示すように、メモリカード１４０の切欠部１４３（切欠部１４３ａ，１４３ｂ，１４３ｃ，１４３ｄを代表する）と、突出部１４６とを係合させて装着することができる。
【００７８】
このメモリカード１４０は、記録再生装置に直接装着することもできる。また、フレキシブルディスクのような形状のアダプタにメモリカード１４０を装着し、このメモリカード１４０が装着されたアダプタを記録再生装置に装着するようにしてもよい。
【００７９】
メモリカードを装着装置にはめ込んで装着することにより、装着装置の上蓋が不要となり、装着装置内部に挿入する場合よりも装着装置の厚さを薄くすることができ、装置の小型化が可能となる。また、メモリカードがはめ込まれて装着されるアダプタの厚さも薄くすることができる。
【図面の簡単な説明】
【００８０】
【図１】本発明に係るメモリカードの内部構成を示すブロック図である。
【図２】本発明に係るメモリカードの外観を示す斜視図である。
【図３】上記メモリカードの底面図である。
【図４】本発明に係るメモリカードの他の例を示す斜視図である。
【図５】本発明に係るメモリカードのさらに他の例を示す図であり、（Ａ）はシャッタ部材が凹状部を閉塞している状態を示す要部平面図であり、（Ｂ）はシャッタ部材が凹状部を開放している状態を示す要部平面図である。
【図６】本発明に係るメモリカードのさらに他の例を示す図であり、（Ａ）はシャッタ部材が凹状部を閉塞している状態を示す要部平面図であり、（Ｂ）はシャッタ部材が凹状部を開放している状態を示す要部平面図である。
【図７】本発明に係るメモリカードが装着される装着装置を示す断面図である。
【図８】上記装着装置の正面図である。
【図９】本発明に係るメモリカードを装着装置に装着した状態を示す断面図である。
【図１０】本発明に係る他のメモリカードを装着装置に装着した状態を示す断面図である。
【図１１】上記他のメモリカードの要部平面図である。
【図１２】本発明に係るメモリカードの外形形状の一例を示す平面図である。
【図１３】図１２に示すメモリカードのＸ１−Ｘ２線断面図である。
【図１４】本発明に係るメモリカードが装着される装着装置の一例を示す平面図である。
【図１５】図１４に示す装着装置のＹ１−Ｙ２線断面図である。
【図１６】装着装置にメモリカードが正しく挿入される状態を示す平面図である。
【図１７】装着装置にメモリカードが正しく挿入される途中の状態を示す図１６図のＹ３−Ｙ４線断面図である。
【図１８】装着装置にメモリカードが正しく挿入される途中の状態を示す図１６図のＹ３−Ｙ４線断面図である。
【図１９】装着装置にメモリカードが誤挿入された状態を示す平面図である。
【図２０】装着装置にメモリカードが誤挿入された状態を示す図１９のＹ５−Ｙ６線断面図である。
【図２１】本発明に係るメモリカードの外形形状の一例を示す平面図である。
【図２２】本発明に係るメモリカードの外形形状の一例を示す平面図である。
【図２３】図２２に示すメモリカードのＺ１−Ｚ２線断面図である。
【図２４】本発明に係るメモリカードが装着される装着装置の一例を示す平面図である。
【図２５】図２４に示す装着装置のＷ１−Ｗ２線断面図である。
【図２６】装着装置にメモリカードが正しく挿入される状態を示す断面図である。
【図２７】装着装置にメモリカードが正しく挿入される途中の状態を示す断面図である。
【図２８】装着装置にメモリカードが誤挿入された状態を示す断面図である。
【図２９】本発明に係るメモリカードの外形形状の一例を示す平面図である。
【図３０】本発明に係るメモリカードの外形形状の一例を示す斜視図である。
【図３１】図３０に示すメモリカードを図中Ｈ方向から見た側面図である。
【図３２】図３０に示すメモリカードを図中Ｉ方向から見た背面図である。
【図３３】本発明に係るメモリカードを装着装置に装着する状態を示す断面図である。
【図３４】本発明に係るメモリカードが装着装置に装着された状態を示す断面図である。
【符号の説明】
【００８１】
１  メモリカード、２  カード本体、３  メモリチップ、５  外部接続用端子、９  凹状部、１０  突起部
【図１】
2007035052.tif 000003
【図２】
2007035052.tif 000004
【図３】
2007035052.tif 000005
【図４】
2007035052.tif 000006
【図５】
2007035052.tif 000007
【図６】
2007035052.tif 000008
【図７】
2007035052.tif 000009
【図８】
2007035052.tif 000010
【図９】
2007035052.tif 000011
【図１０】
2007035052.tif 000012
【図１１】
2007035052.tif 000013
【図１２】
2007035052.tif 000014
【図１３】
2007035052.tif 000015
【図１４】
2007035052.tif 000016
【図１５】
2007035052.tif 000017
【図１６】
2007035052.tif 000018
【図１７】
2007035052.tif 000019
【図１８】
2007035052.tif 000020
【図１９】
2007035052.tif 000021
【図２０】
2007035052.tif 000022
【図２１】
2007035052.tif 000023
【図２２】
2007035052.tif 000024
【図２３】
2007035052.tif 000025
【図２４】
2007035052.tif 000026
【図２５】
2007035052.tif 000027
【図２６】
2007035052.tif 000028
【図２７】
2007035052.tif 000029
【図２８】
2007035052.tif 000030
【図２９】
2007035052.tif 000031
【図３０】
2007035052.tif 000032
【図３１】
2007035052.tif 000033
【図３２】
2007035052.tif 000034
【図３３】
2007035052.tif 000035
【図３４】
2007035052.tif 000036